(57)【要約】【課題】画質を変更する処理に伴う演算処理部の負荷をより効率良く低減しやすい表示データ処理装置を得る。【解決手段】表示データ処理装置は、第一の取得部と、少なくとも一つの画質変更部と、第二の取得部と、制御部と、出力部と、を備える。第一の取得部は、動画映像を表示画面で表示するための表示データを取得する。画質変更部は、表示データに画質を変更する処理を実行する。第二の取得部は、動画映像に対応した、動画映像の一時停止を指示するデータを取得する。制御部は、第二の取得部で取得されたデータに基づいて、少なくとも一つの画質変更部の動作を変更させる。出力部は、少なくとも一つの画質変更部で処理が実行された表示データおよび第一の取得部で取得された表示データのうち一方を出力する。【選択図】図４
2015004882.tif 000002
【特許請求の範囲】
【請求項１】
動画映像を表示画面で表示するための表示データを取得する第一の取得部と、
前記表示データに画質を変更する処理を実行する少なくとも一つの画質変更部と、
前記動画映像に対応した、前記動画映像の一時停止を指示するデータを取得する第二の取得部と、
前記第二の取得部で取得されたデータに基づいて、前記少なくとも一つの画質変更部の動作を変更させる制御部と、
少なくとも一つの前記画質変更部で前記処理が実行された前記表示データおよび前記第一の取得部で取得された前記表示データのうち一方を出力する出力部と、
を備える表示データ処理装置。
【請求項２】
さらに、前記動画映像に対応した、前記動画映像のコンテンツの著作権保護状態を示すデータを取得する第三の取得部を備え、
前記制御部は、さらに、著作権保護された前記コンテンツの前記動画映像が表示される場合と、著作権保護されていない前記コンテンツの前記動画映像が表示される場合とで、前記少なくとも一つの画質変更部の動作を異ならせる請求項１に記載の表示データ処理装置。
【請求項３】
前記表示データは、少なくとも一つの第一の電子機器から第二の電子機器へ転送される画像のデータである、請求項１または２に記載の表示データ処理装置。
【請求項４】
前記表示画面の第一の領域に表示される動画映像の表示データに前記処理を実行する少なくとも一つの前記画質変更部と、前記表示画面の第二の領域に表示される動画映像の表示データに前記処理を実行する少なくとも一つの前記画質変更部とが相異なる、請求項１〜３のうちいずれか一つに記載の表示データ処理装置。
【請求項５】
前記動画映像が動画として表示される場合に前記表示データに前記処理を実行する少なくとも一つの前記画質変更部と、前記動画映像が静止状態で表示される場合に前記表示データに前記処理を実行する少なくとも一つの前記画質変更部とが相異なる、請求項１〜４のうちいずれか一つに記載の表示データ処理装置。
【請求項６】
前記動画映像が動画として表示される場合に前記表示データに前記処理を実行する前記画質変更部の数が、前記動画映像が静止状態で表示される場合に前記表示データに前記処理を実行する前記画質変更部の数より少ない、請求項１〜５のうちいずれか一つに記載の表示データ処理装置。
【請求項７】
動画映像を表示画面で表示するための表示データを取得し、
前記表示データに画質を変更する処理を実行し、
前記動画映像に対応した、当該動画映像の一時停止を指示するデータを取得し、
前記一時停止を指示するデータに基づいて、前記表示データに画質を変更する処理の実行を変更し、
前記取得された表示データおよび前記画質を変更する処理が実行された表示データのうち一方を出力する、表示データ処理方法。
【発明の詳細な説明】
【技術分野】
【０００１】
本発明の実施形態は、表示データ処理装置および表示データ処理方法に関する。
【背景技術】
【０００２】
従来、コンテンツの映像を高画質化して表示する技術が知られている。
【先行技術文献】
【特許文献】
【０００３】
【特許文献１】特開２０１０−１３０２８７号公報
【発明の概要】
【発明が解決しようとする課題】
【０００４】
上記のような技術では、画質を変更する処理に伴う演算処理部の負荷をより効率良く低減できれば好ましい。
【課題を解決するための手段】
【０００５】
実施形態にかかる表示データ処理装置は、第一の取得部と、少なくとも一つの画質変更部と、第二の取得部と、制御部と、出力部と、を備える。第一の取得部は、動画映像を表示画面で表示するための表示データを取得する。画質変更部は、表示データに画質を変更する処理を実行する。第二の取得部は、動画映像に対応した、動画映像の一時停止を指示するデータを取得する。制御部は、第二の取得部で取得されたデータに基づいて、少なくとも一つの画質変更部の動作を変更させる。出力部は、少なくとも一つの画質変更部で処理が実行された表示データおよび第一の取得部で取得された表示データのうち一方を出力する。
【図面の簡単な説明】
【０００６】
【図１】図１は、実施形態にかかる表示データ処理装置を含むシステムの一例が示された図である。
【図２】図２は、実施形態にかかる表示データ処理装置の一例の概略構成が示されたブロック図である。
【図３】図３は、実施形態にかかる表示データ処理装置を含むシステムでの処理シーケンスの一例が示された図である。
【図４】図４は、実施形態にかかる表示データ処理装置で映像の動画が表示されている状態と静止状態とのそれぞれで実行される高画質化処理の一例が示された図である。
【図５】図５は、実施形態にかかる表示データ処理装置で著作権の保護の有無に応じてそれぞれ実行される高画質化処理の一例が示された図である。
【図６】図６は、実施形態にかかる表示データ処理装置による画質変更処理の手順の一例が示されたフローチャートである。
【図７】図７は、実施形態にかかる表示データ処理装置に対応した表示画面における領域毎の表示の一例が示された概念図である。
【図８】図８は、図７の領域毎にそれぞれ実行される高画質化処理の一例が示された図である。
【図９】図９は、実施形態にかかる表示データ処理装置に対応した表示画面における領域毎の表示の別の一例が示された概念図である。
【図１０】図１０は、図９の領域毎にそれぞれ実行される高画質化処理の一例が示された図である。
【発明を実施するための形態】
【０００７】
以下の実施形態および変形例には、同様の構成要素が含まれる。それら同様の構成要素には共通の符号が付与されるとともに、重複する説明が省略される。同様の構成要素を備えた実施形態および変形例では、当該同様の構成要素に基づく同様の結果（効果）が得られる。なお、本明細書中の、第一，第二等の序数は、構成要素等を便宜上区別するために付与されており、処理の順序や、優先度、重要度等を意味するものではない。
【０００８】
本実施形態では、例えば、図１に示されるように、少なくとも一つの（本実施形態では、一例として二つの）電子機器１Ａ（１）と一つの電子機器１Ｂ（１）とが、有線または無線でデータを送受信可能に（通信可能に）接続されている。電子機器１Ａと電子機器１Ｂとは、直接的に通信してもよいし、例えばルータ等の電子機器を介して間接的に通信してもよい。電子機器１は、例えば、テレビジョン受像機や、パーソナルコンピュータ、スマートフォン、携帯電話機、ＰＤＡ（personal digital assistant）、ゲーム機、電子辞書装置、電子書籍リーダ装置等である。また、電子機器１は、必ずしも表示画面１ａ，１ｂや音声出力装置（スピーカ、図示されず）を一体的に備えている必要は無く、例えば、セットトップボックスや、ホームターミナル等であってもよい。
【０００９】
電子機器１Ａから電子機器１Ｂへは、映像（画像、動画または静止画）のデータ（表示データ）ならびに音声のデータ（音声データ）が、所定の通信プロトコルで送られる。電子機器１Ｂでは、受信されたデータに基づいて、映像が表示されるとともに、対応する音声が出力される。以下では、映像のデータならびに音声のデータを送信する電子機器１Ａをソース機器１Ａと称し、当該映像のデータならびに音声のデータを受信する電子機器１Ｂをシンク機器１Ｂと称する。本実施形態では、ソース機器１Ａが第一の電子機器の一例であり、シンク機器１Ｂが第二の電子機器の一例である。また、本実施形態では、シンク機器１Ｂ（電子機器）が、表示データ処理装置の一例である。なお、映像や音声のデータの授受に際しては、適宜、暗号化や復号化の処理が実行されうる。
【００１０】
また、本実施形態では、一例として、ソース機器１Ａに対応した表示画面１ａで表示される映像（画面映像、画面画像）のデータが、シンク機器１Ｂに送信（転送）され、シンク機器１Ｂに対応した表示画面１ｂで表示される。また、シンク機器１Ｂの表示画面１ｂには、ソース機器１Ａのそれぞれに対応した表示領域１ｂ１，１ｂ２が含まれている。なお表示領域は、１つのソース機器Ａに対応した一つの領域のみであってもよい。本実施形態では、一例として、図１に示されるように、図１の左側のソース機器１Ａ（例えば、タブレット）の表示画面１ａで表示される映像Ｉｍａ１と対応する（同じ）映像Ｉｍｂ１が、シンク機器１Ｂの表示画面１ｂ中の左側の表示領域１ｂ１に表示され、図１の右側のソース機器１Ａ（例えば、パーソナルコンピュータ）の表示画面１ａで表示される映像Ｉｍａ２と対応する（同じ）映像Ｉｍｂ２が、シンク機器１Ｂの表示画面１ｂ中の右側の表示領域１ｂ２に表示される。ただし、図１はあくまで一例であって、表示態様は種々に変更可能である。
【００１１】
また、ソース機器１Ａとシンク機器１Ｂとの間では、映像や音声に対応した関連データ（例えば、指示データ、メタデータ、制御データ等）も、所定の通信プロトコルで授受される。シンク機器１Ｂでの映像の表示や、音声の出力、それらに関連する演算処理等は、これら関連データに基づいて制御されることができる。関連データは、具体的には、例えば、動画の映像の一時停止や再生（再開、一時停止解除）を指示する指示データや、動画の映像のコンテンツ（画面映像で表示されているコンテンツ）の著作権保護状態（著作権保護の有無）を示すメタデータ、ソース機器１Ａの識別情報を示すメタデータ等であることができる。なお、著作権保護状態を示すメタデータとしては、例えば、著作権保護の有無を示すデータ（フラグ）や、コンテンツ内に含まれる著作権保護情報のデータ、暗号化鍵のデータ等を、用いることができる。
【００１２】
また、本実施形態では、一例として、図２に示されるシンク機器１Ｂは、コンピュータとして構成され、ＣＰＵ（central processing unit）や、コントローラ、記憶部、入力部、出力部、通信部１２等を備える。通信部１２は、ソース機器１Ａとのデータの授受（通信）を実行する。記憶部は、例えば、ＲＡＭ（random access memory）や、ＲＯＭ（read only memory）、ＨＤＤ（hard disk drive）、ＳＳＤ（solid state drive）等である。記憶部には、情報記憶部１４が含まれる。情報記憶部１４は、不揮発性の記憶部であって、例えば、ＨＤＤやＳＳＤ等である。コントローラには、表示制御部１３が含まれる。表示制御部１３は、制御部１１から受け取ったデータにしたがって、映像が表示されるよう表示装置を制御する。表示制御部１３は、出力部の一例でありうる。表示装置は、例えば、ＬＣＤ（liquid crystal display）やＯＥＬＤ（organic electro-luminescent display）等である。ＣＰＵは、ロードされたプログラム（例えば、ＯＳ（operating system）や、アプリケーション、ウエブアプリケーション等）にしたがって、種々の演算処理を実行することができる。本実施形態では、一例として、プログラムにしたがったＣＰＵ等の処理によって、図２に示される制御部１１（第一のデータ取得部１１ａ、表示態様決定部１１ｂ、表示画像合成部１１ｃ、第二のデータ取得部１１ｄ、画質変更制御部１１ｅ、画質変更部１１ｆ、出力部１１ｇ）が機能する。
【００１３】
また、図示されないが、ソース機器１Ａも、コンピュータとして構成され、ＣＰＵや、コントローラ、記憶部、入力部、出力部、通信部等を備える。記憶部は、例えば、ＲＡＭや、ＲＯＭ、ＨＤＤ、ＳＳＤ等である。
【００１４】
そして、ソース機器１Ａやシンク機器１Ｂ等のプログラムは、それぞれインストール可能な形式又は実行可能な形式のファイルでＣＤ−ＲＯＭ（compact disc ＲＯＭ）や、ＦＤ（flexible disc）、ＣＤ−Ｒ（ＣＤ recordable）、ＤＶＤ（digital versatile disc）等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００１５】
シンク機器１Ｂにおいて、第一のデータ取得部１１ａ（第一の取得部）は、例えば、ソース機器１Ａから、映像のデータや音声のデータを得る。また、第一のデータ取得部１１ａは、必要に応じて、暗号化されたデータを復号することができる。
【００１６】
表示態様決定部１１ｂは、例えば、第一のデータ取得部１１ａで取得された映像のデータに対応した映像（画像、動画または静止画）の、シンク機器１Ｂに対応した表示画面１ｂでの表示態様を決定する。表示態様決定部１１ｂは、例えば、映像の表示領域の数、位置、大きさ等を、情報記憶部１４に記憶された情報に基づいて決定することができる。情報記憶部１４には、例えば、接続可能なソース機器１Ａの識別情報（例えば、機器固有番号、ＩＰアドレス、ＭＡＣアドレス等）が記憶されうる。また、情報記憶部１４には、ソース機器１Ａの識別情報や数と、シンク機器１Ｂの表示画面１ｂでの映像の表示領域の数、位置、大きさ等とが、互いに対応付けて記憶されうる。よって、表示態様決定部１１ｂは、映像に対応したソース機器１Ａの識別情報や数に基づいて、映像の表示態様を決定することができる。また、表示態様決定部１１ｂは、第二のデータ取得部１１ｄがソース機器１Ａ等から得た表示態様についての指示データや制御データに基づいて、映像の表示態様を決定することができる。
【００１７】
表示画像合成部１１ｃは、例えば、映像を表示するデータや、付加的に表示するデータ等を合成して、シンク機器１Ｂに対応した表示画面１ｂで表示される画像のデータを合成する。
【００１８】
第二のデータ取得部１１ｄ（第二の取得部、第三の取得部）は、例えば、ソース機器１Ａやリモコン（図示されず）等から、映像に対応した関連データを得る。
【００１９】
画質変更制御部１１ｅは、例えば、画質変更部１１ｆ（高画質化処理部）の動作状態を変更する。制御部１１が複数の画質変更部１１ｆを有する場合、画質変更制御部１１ｅは、画質変更部１１ｆのそれぞれのオンオフ（動作および停止）を切り替えることができる。画質変更部１１ｆは、映像のデータの画質を変更する処理（高画質化する処理）を実行する。さらに、画質変更部１１ｆは、表示画面１ｂの表示領域１ｂ１，１ｂ２毎に、処理を実行する画質変更部１１ｆを変更することができる。画質変更制御部１１ｅは、制御部の一例である。
【００２０】
出力部１１ｇは、映像データ（表示データ）を表示制御部１３（ひいては表示装置）に出力する。
【００２１】
制御部１１は、複数の画質変更部１１ｆを有することができる。具体的には、制御部１１は、例えば、質感復元の処理を実行する画質変更部１１ｆを有することができる。質感復元とは、映像の輝度変化パターンに応じて、より微細なパターンを生成することにより、撮影時に消失した微細なパターンを復元する技術である。また、制御部１１は、例えば、光沢復元の処理を実行する画質変更部１１ｆを有することができる。光沢復元とは、映像の光沢成分を分離し、これを強調して、撮影時に消失した光沢を復元する技術である。また、制御部１１は、例えば、奥行き感復元の処理を実行する画質変更部１１ｆを有することができる。奥行き感復元とは、例えば、空や無限遠の領域では、単純拡大によりノイズの強調を回避し、遠景の領域では通常よりも弱めた強度で超解像処理を実行し、近景の領域では通常の強度で超解像処理を実行することにより、物体との視覚的な距離感の特徴を有した映像にする技術である。この他、制御部１１は、ノイズリダクションや、複数フレームを用いた超解像処理、ヒストグラムに応じた高画質化処理等、種々の処理を実行する画質変更部１１ｆを有することができる。また、制御部１１は、動画の映像の静止状態（一時停止状態）での高画質化処理として、（一時停止される前の）複数のフレームの映像（画像）から、高画質化処理を実行する画質変更部１１ｆを有することができる。なお、制御部１１は、画質変更処理（高画質化処理）専用のＣＰＵを有することができる。
【００２２】
制御部１１は、例えば図３に示される手順で、映像のデータの画質を変更することができる。図３には、動画の映像が動画として表示される場合と、静止状態で表示される場合とで、画質変更部１１ｆの動作を変更する場合の処理シーケンスの一例が示されている。具体的には、ソース機器１Ａからシンク機器１Ｂへ、画面映像（映像）が送信されている状態で、ソース機器１Ａからシンク機器１Ｂへ、映像の表示の一時停止を指示する指示データ（関連データ、ＲＴＳＰ（real time streaming protocol）のＳＥＴ＿ＰＡＲＡＭＥＴＥＲ（ＰＡＵＳＥトリガ））が送信されると、シンク機器１Ｂはその応答（ＳＥＴ＿ＰＡＲＡＭＥＴＥＲレスポンス）をソース機器１Ａへ送信する。そして、シンク機器１Ｂの制御部１１ならびに表示制御部１３は、動画の映像を静止状態とする。すなわち、制御部１１ならびに表示制御部１３は、動画の映像を構成する複数のフレームのうち一つのフレームを、シンク機器１Ｂに対応した表示画面１ｂに表示させる。この際、画質変更制御部１１ｅは、動作する画質変更部１１ｆを、例えば図４にしたがって変更する。図４の例では、画質変更制御部１１ｅは、動画表示中には、動画の映像の各フレームに、高画質化処理Ａ，Ｂ，Ｆが実行されるよう、画質変更部１１ｆを制御し、動画の映像の静止状態では、動画の映像の一つのフレームに、高画質化処理Ａ〜Ｅが実行されるよう、画質変更部１１ｆを制御する。複数の（本実施形態では、一例として六つの）相異なる高画質化処理Ａ〜Ｆは、例えば、複数の（本実施形態では、一例として六つの）画質変更部１１ｆのそれぞれが、実行することができる。この場合、画質変更制御部１１ｅは、動画表示中にあっては、高画質化処理Ａ，Ｂ，Ｆをそれぞれ実行する三つの画質変更部１１ｆを動作させ、他の高画質化処理Ｃ〜Ｅをそれぞれ実行する三つの画質変更部１１ｆを動作させない。また、画質変更制御部１１ｅは、静止状態にあっては、高画質化処理Ａ〜Ｅをそれぞれ実行する五つの画質変更部１１ｆを動作させ、高画質化処理Ｆを実行する一つの画質変更部１１ｆを動作させない。この図４から、動画の映像が動画として表示される場合（動画表示中）と、静止状態で表示される場合とで、少なくとも一つの画質変更部１１ｆの動作が異なること、動作している（処理を実行している）画質変更部１１ｆの数が異なること、ならびに、動画の映像が動画として表示される場合に処理を実行する画質変更部１１ｆの数が、静止状態で表示される場合に処理を実行する画質変更部１１ｆの数よりも少ないことが、理解できよう。動画表示中は、制御部１１の演算処理の負荷が大きく、静止状態では、制御部１１の演算処理の負荷が小さい。よって、本実施形態によれば、一例としては、このような画質変更部１１ｆの切り替えによって、制御部１１（演算処理部）の負荷がより効率良く低減されやすい。
【００２３】
また、図４に示されるような、動画表示中ならびに静止状態のそれぞれにおける画質変更部１１ｆの動作状態を示す情報（設定情報、例えばテーブル）は、情報記憶部１４に記憶されている。画質変更制御部１１ｅは、当該情報に基づいて、画質変更部１１ｆの動作を切り替えることができる。
【００２４】
図３に示されるように、シンク機器１Ｂの制御部１１ならびに表示制御部１３が、動画の映像を静止状態とし、画質変更制御部１１ｅが、動作する画質変更部１１ｆを、例えば図４にしたがって変更した後、シンク機器１Ｂは、映像のデータの送信の停止を指示する指示データ（関連データ、ＲＴＳＰのＰＡＵＳＥリクエスト）を、ソース機器１Ａに送信する。ソース機器１Ａは、これにより、映像のデータの送信を停止するとともに、その応答（ＰＡＵＳＥレスポンス）をシンク機器１Ｂへ送信する。
【００２５】
その後、ソース機器１Ａからシンク機器１Ｂへ、映像の表示（再生）の開始（再開）を指示する指示データ（関連データ、ＲＴＳＰのＳＥＴ＿ＰＡＲＡＭＥＴＥＲ（ＰＬＡＹトリガ））が送信されると、シンク機器１Ｂはその応答（ＳＥＴ＿ＰＡＲＡＭＥＴＥＲレスポンス）をソース機器１Ａへ送信する。そして、シンク機器１Ｂの画質変更制御部１１ｅは、動作する画質変更部１１ｆを、例えば図４にしたがって変更する。この場合、一時停止する前の状態に戻される。そして、シンク機器１Ｂは、映像のデータの送信の開始（再開）を指示する指示データ（関連データ、ＲＴＳＰのＰＬＡＹリクエスト）を、ソース機器１Ａに送信する。ソース機器１Ａは、これにより、その応答（ＰＬＡＹレスポンス）をシンク機器１Ｂへ送信するとともに、映像のデータの送信を開始（再開）する。
【００２６】
また、本実施形態では、一例として、図５に示されるように、制御部１１は、映像（のコンテンツ）に対する著作権保護の有無によって、映像のデータの画質を変更することができる。図５の例では、画質変更制御部１１ｅは、著作権保護が無い場合には、映像の各フレームに、高画質化処理Ａ，Ｂ，Ｆが実行されるよう、画質変更部１１ｆを制御し、著作権保護が有る場合には、映像の各フレームに、高画質化処理Ａ〜Ｃ，Ｆが実行されるよう、画質変更部１１ｆを制御する。この場合、画質変更制御部１１ｅは、著作権保護が無い場合にあっては、高画質化処理Ａ，Ｂ，Ｆをそれぞれ実行する三つの画質変更部１１ｆを動作させ、他の高画質化処理Ｃ〜Ｅをそれぞれ実行する三つの画質変更部１１ｆを動作させない。また、画質変更制御部１１ｅは、著作権保護が有る場合には、高画質化処理Ａ〜Ｃ，Ｆをそれぞれ実行する四つの画質変更部１１ｆを動作させ、高画質化処理Ｄ，Ｅを実行する二つの画質変更部１１ｆを動作させない。この図５から、著作権保護の有無によって、少なくとも一つの画質変更部１１ｆの動作が異なること、動作している（処理を実行している）画質変更部１１ｆの数が異なること、ならびに、著作権保護が無い場合に処理を実行する画質変更部１１ｆの数が、著作権保護が有る場合に処理を実行する画質変更部１１ｆの数よりも少ないことが、理解できよう。一般に、著作権保護されている映像（のコンテンツ）は、著作権保護されていない映像よりも重要度や価値が高い場合が多い。また、映像の解像度がより高い場合も多い。よって、本実施形態によれば、一例としては、このような画質変更部１１ｆの切り替えによって、制御部１１（演算処理部）の負荷がより効率良く低減されやすい。
【００２７】
次に、図６を参照して、制御部１１による一連の処理手順（フロー）について説明する。シンク機器１Ｂの制御部１１は、第一のデータ取得部１１ａとして動作し、ソース機器１Ａから映像データ（画像データ、表示データ）を取得する（ステップＳ１）。次に、制御部１１は、表示態様決定部１１ｂとして動作し、表示画面１ｂにおける映像（画像）の表示態様を決定する（ステップＳ２）。次に、制御部１１は、表示画像合成部１１ｃとして動作し、映像を表示するデータや、付加的に表示するデータ等を合成して、シンク機器１Ｂに対応した表示画面１ｂで表示される画像のデータを合成する（ステップＳ３）。
【００２８】
次に、第二のデータ取得部１１ｄとして動作した制御部１１が、映像に対応した関連データを取得した場合（ステップＳ４でＹｅｓ）、制御部１１は、画質変更制御部１１ｅとして動作し、情報記憶部１４を参照して、画質変更に関する設定情報を取得する（ステップＳ５）。次に、制御部１１は、画質変更制御部１１ｅとして動作し、関連データから得られた情報が、画質を変更する条件に合致する場合（ステップＳ６でＹｅｓ）、動作する画質変更部１１ｆを決定し、当該画質変更部１１ｆを制御する。これにより、映像のデータの画質が変更される（ステップＳ７）。次に、制御部１１および表示制御部１３は、映像データを表示装置に出力する。これにより、表示画面１ｂで映像データ（表示データ）が表示される（ステップＳ８）。なお、ステップＳ４でＮｏの場合、ならびにステップＳ６でＮｏの場合は、ステップＳ８へ移動する。
【００２９】
図７には、一つのシンク機器１Ｂに二つのソース機器１Ａのそれぞれから映像のデータが送られ、シンク機器１Ｂに対応した表示画面１ｂに、ソース機器１Ａのそれぞれの画面画像を表示するためのソース機器１Ａのそれぞれに対応した表示領域１ｂ１，１ｂ２が設定された場合における、当該表示画面１ｂの映像の概要の一例が示されている。図７に示されるように、表示画面１ｂの左側の表示領域１ｂ１（領域１）には、一方のソース機器１Ａ（ソース１）からの映像が表示される。ソース機器１Ａ（ソース１）からの映像（のコンテンツ）のデータには、著作権保護は無い。一方、表示画面１ｂの右側の表示領域１ｂ２（領域２）には、他方のソース機器１Ａ（ソース２）からの映像が表示される。ソース機器１Ａ（ソース２）からの映像（のコンテンツ）のデータには、著作権保護が有る。また、図７の例では、表示領域１ｂ１，１ｂ２ともに、映像が動画として表示される。
【００３０】
図８には、図７の例における、高画質化処理Ａ〜Ｆをそれぞれ実行する画質変更部１１ｆの、動作状態（オンオフ、動作および停止）と動作領域との一例が示されている。画質変更制御部１１ｅは、関連データから得られた情報に基づいて、図８に示されるような画質変更部１１ｆの動作状態を決定する。画質変更部１１ｆは、図８に示される範囲に対して、画質変更処理を実行する。図８の例では、画質変更処理を実行する範囲が、起点と、起点からの範囲の大きさとで、示されている。図７，８の例では、一方のソース機器１Ａ（ソース１）に対応した表示領域１ｂ１（領域１）は、図７中のｉ，ｊの二方向を軸とする座標（０，０）と座標（９６０，１０８０）とが対角方向に対向する二つの頂点である四角形状の領域であり、他方のソース機器１Ａ（ソース２）に対応した表示領域１ｂ２（領域２）は、座標（９６０，０）と座標（１９２０，１０８０）とが対角方向に対向する二つの頂点である四角形状の領域である。図８の設定によれば、高画質化処理Ａ，Ｂは、領域１および領域２の映像について実行され、高画質化処理Ｃは、領域２の映像について実行され、高画質化処理Ｄ，Ｅは、領域１および領域２の映像ともに実行されず、高画質化処理Ｆは、領域１および領域２の映像について実行される。すなわち、図８の場合、領域１の映像には、高画質化処理Ａ，Ｂ，Ｆが実行され、領域２の映像には、高画質化処理Ａ〜Ｃ，Ｆが実行される。画質変更部１１ｆは、図８に示されるような設定情報に基づいて、領域１，２毎に異なる画質変更処理（高画質化処理）を実行することができる。
【００３１】
図９には、図７の表示領域１ｂ１（領域１）の映像のデータが静止状態となった場合における、表示画面１ｂの映像の概要の一例が示されている。
【００３２】
図１０には、図９の例における、高画質化処理Ａ〜Ｆをそれぞれ実行する画質変更部１１ｆの、動作状態（オンオフ、動作および停止）と動作領域との一例が示されている。図１０の設定によれば、高画質化処理Ａ〜Ｃは、領域１および領域２の映像について実行され、高画質化処理Ｄ，Ｅは、領域１の映像について実行され、高画質化処理Ｆは、領域２の映像について実行される。すなわち、図１０の場合、領域１の映像には、高画質化処理Ａ〜Ｅが実行され、領域２の映像には、高画質化処理Ａ〜Ｃ，Ｆが実行される。画質変更部１１ｆは、図１０に示されるような設定情報に基づいて、領域１，２毎に異なる画質変更処理（高画質化処理）を実行することができる。
【００３３】
以上、説明したように、本実施形態では、一例として、動画用の映像が動画として表示される場合と、映像が静止状態で表示される場合とで、少なくとも一つの画質変更部１１ｆの動作が異なる。よって、本実施形態によれば、一例としては、常時全ての画質変更部１１ｆが映像に処理を実行する（動作する）構成と比較して、制御部１１（演算処理部）の負荷が低減されやすい。本実施形態によれば、一例としては、より効率良く画質変更処理が実行されやすい。
【００３４】
また、本実施形態では、一例として、映像が動画として表示される場合に表示データに処理を実行する少なくとも一つの画質変更部１１ｆと、映像が静止状態で表示される場合に表示データに処理を実行する少なくとも一つの画質変更部１１ｆとが相異なる。よって、本実施形態によれば、一例としては、画質変更部１１ｆの処理の実行と停止とを切り替えることにより、比較的容易に、異なる画質変更処理が実行されやすい。
【００３５】
また、本実施形態では、一例として、映像が動画として表示される場合に表示データに処理を実行する画質変更部１１ｆの数が、映像が静止状態で表示される場合に表示データに処理を実行する画質変更部１１ｆの数より少ない。よって、本実施形態によれば、一例としては、制御部１１の負荷が少ない静止状態で、映像の画質がより向上されやすい。
【００３６】
また、本実施形態では、一例として、画質変更制御部１１ｅは、映像に対応した関連データに基づいて、動作する画質変更部１１ｆを決定する。よって、本実施形態では、一例としては、映像に対応した関連データに基づいて、より容易に画質変更処理が切り替わったり、より適切な画質変更処理が実行されたり、といった利点がある。
【００３７】
また、本実施形態では、一例として、関連データの一つは、映像の一時停止を指示するデータである。よって、本実施形態によれば、一例としては、動画の映像の静止状態で映像の画質を向上する処理を、ソース機器１Ａから取得された関連データをトリガとして、比較的容易に実行することができる。
【００３８】
また、本実施形態では、一例として、関連データの一つは、映像のコンテンツの著作権保護状態を示すデータである。よって、本実施形態によれば、一例としては、映像（のコンテンツ）の重要度等に応じて、画質変更処理の切り替えが、より適切に実行されやすい。
【００３９】
また、本実施形態では、一例として、シンク機器１Ｂの表示画面１ｂ内の表示領域１ｂ１，１ｂ２（領域）毎に、映像のデータに実行される画質変更処理が異なる。よって、本実施形態によれば、一例としては、より効率良く画質変更処理が実行されやすい。
【００４０】
以上、本発明の実施形態ならびに変形例を例示したが、上記実施形態ならびに変形例はあくまで一例であって、発明の範囲を限定することは意図していない。これら実施形態ならびに変形例は、その他の様々な形態で実施されることが可能であり、発明の要旨を逸脱しない範囲で、種々の省略、置き換え、組み合わせ、変更を行うことができる。これら実施形態やその変形例は、発明の範囲や要旨に含まれるとともに、特許請求の範囲に記載された発明とその均等の範囲に含まれる。また、本発明は、構成要素（ステップ）によって得られる基本的な結果（効果）によってもたらされる種々の効果も奏することができる。また、上述した効果は一例である。また、各構成要素のスペックは、適宜に変更して実施することができる。
【００４１】
例えば、上記実施形態では、ソース機器からシンク機器へ映像のデータが送信される場合を例示したが、本発明は、映像のデータが複数の電子機器間で授受されない場合（一つの電子機器内にある場合や、電子機器から対応した表示装置に送信される場合）についても適用可能である。また、関連データは、映像（コンテンツ）の識別データ（例えば、ファイル名）や、ユーザの操作によって生成された指示データ、映像やソース機器（電子機器）の優先度を示す（優先度がわかる）メタデータ、ソース機器（電子機器）毎に実行する画質変更処理を示すメタデータ等であってもよい。表示データ処理装置は、優先度が高いほど、実行する画質変更処理（高画質化処理）の数を多くすることができるし、指示データで指示された画質変更処理を実行することもできる。また、映像やソース機器（電子機器）と画質変更処理（高画質化処理）とが対応付けた情報（設定情報）が記憶部に記憶されたり、当該設定情報がユーザの入力操作によって書き換え（変更）可能であったりしてもよい。
【符号の説明】
【００４２】
１ａ…表示画面、１Ｂ…シンク機器（電子機器、表示データ処理装置）、１１ａ…第一のデータ取得部（第一の取得部）、１１ｄ…第二のデータ取得部（第二の取得部、第三の取得部）、１１ｅ…画質変更制御部（制御部）、１１ｆ…画質変更部、１１ｇ…出力部。
【図１】
2015004882.tif 000003
【図２】
2015004882.tif 000004
【図３】
2015004882.tif 000005
【図４】
2015004882.tif 000006
【図５】
2015004882.tif 000007
【図６】
2015004882.tif 000008
【図７】
2015004882.tif 000009
【図８】
2015004882.tif 000010
【図９】
2015004882.tif 000011
【図１０】
2015004882.tif 000012